(57)【要約】【課題】  開閉カバーのロック状態を検出し印紙搬送及び印字を制御するプリンタを提供する。【解決手段】  ロール紙を収容するプリンタ本体１と、プリンタ本体１を覆う上部カバー２と、上部カバー２に設けられ、弾性手段により付勢されプリンタ本体１と上部カバー２との閉状態を保持するセットレバー４と、プリンタ本体１に設けられ、セットレバー４の先端に位置するロック爪１６と係合する掛止部６と、掛止部６の近傍に設けられ、セットレバー４に当接し弾性手段の付勢力を緩和する緩衝部材としてのアーム１７を通して閉状態を検知するセンサ７と、を備える。【選択図】        図１
2006167942.tif 000002
【特許請求の範囲】
【請求項１】
ロール紙を収容するプリンタ本体と、
前記プリンタ本体を閉状態で覆う上部カバーと、
前記上部カバーに設けられ、弾性手段により付勢され前記プリンタ本体と前記上部カバーとの閉状態を保持するセットレバーと、
前記プリンタ本体に設けられ、前記セットレバーの先端に位置するロック爪と係合する掛止部と、
前記掛止部の近傍に設けられ、前記セットレバーに当接し前記弾性手段の付勢力を緩和する緩衝部材を通して前記閉状態を検知するセンサと、
を備えることを特徴とするプリンタ。
【請求項２】
前記上部カバーは、前記プリンタ本体の端部に設けた回動支持部を支点に回動することを特徴とする請求項１に記載のプリンタ。
【請求項３】
前記緩衝部材は、前記センサの端部に回動可能に接続する可撓性のアームであることを特徴とする請求項１に記載のプリンタ。
【請求項４】
前記センサは、前記緩衝部材の回動に応答して、電気接点を接触させるスイッチを備えることを特徴とする請求項１に記載のプリンタ。
【発明の詳細な説明】
【技術分野】
【０００１】
本発明は、開閉可能なカバーのロック状態を検出するプリンタに関する。
【背景技術】
【０００２】
従来、印字装置を覆う開閉カバーを有するプリンタでは、開閉カバーと下ケースのロック状態を保持するロック機構の状態を検出するスイッチ構造と、開閉カバーにロック用爪、下ケースにロック用爪の掛止部とを設け、開閉カバーに配置されたロック用爪の位置を検出する検出器により開閉カバーと下ケースのロック状態を検出していた（特許文献１参照。）。
【０００３】
【特許文献１】特開２００３−６３０９９号公報（第００１９段落、図２参照）
【発明の開示】
【発明が解決しようとする課題】
【０００４】
しかしながら、従来のプリンタでは、開閉カバーと下ケースが閉状態でロックする際に、開閉カバーに配置されたロック用爪が検出器と接触し、開閉カバーのオーバーストローク分の応力を検出器が受け破損するという課題が存在していた。
【０００５】
本発明は、上述した課題に鑑み、開閉カバーのロック状態を検出し印紙搬送及び印字を制御するプリンタを提供することを目的とする。
【課題を解決するための手段】
【０００６】
本発明の一態様は、例えば、ロール紙を収容するプリンタ本体と、プリンタ本体を覆う上部カバーと、上部カバーに設けられ、弾性手段により付勢されプリンタ本体と上部カバーとの閉状態を保持するセットレバーと、プリンタ本体に設けられ、セットレバーの先端に位置するロック爪と係合する掛止部と、掛止部の近傍に設けられ、セットレバーに当接し弾性手段の付勢力を緩和する緩衝部材を通して閉状態を検知するセンサと、を備えるプリンタであることを要旨とする。
【発明の効果】
【０００７】
以上のように、本発明によれば、開閉カバーのロック状態を検出し印紙搬送及び印字を制御するプリンタを提供することができる。
【発明を実施するための最良の形態】
【０００８】
（第１の実施形態）
以下、本発明の実施形態について図示例と共に説明する。図１から図６は本発明の実施の形態であって、各図中に同一または類似の符号を付した部分は同一物または相当物を表わし、重複した説明は省略する。
【０００９】
図１は、本発明の実施の形態にかかるプリンタの側面図である。プリンタは、ロール紙を収容するプリンタ本体１と、プリンタ本体１を覆う上部カバー２と、上部カバー２に設けられ、弾性手段により付勢されプリンタ本体１と上部カバー２との閉状態を保持するセットレバー４と、プリンタ本体１に設けられ、セットレバー４の先端に位置するロック爪１６と係合する掛止部６と、掛止部６の近傍に設けられ、セットレバー４に当接し弾性手段の付勢力を緩和する緩衝部材としてのアーム１７を通して閉状態を検知するセンサ７と、を備える。
【００１０】
図１に示すように、プリンタは、プリンタ本体１と、プリンタ本体１を閉状態で覆う上部カバー２を有し、プリンタ本体１と上部カバー２を回動支持部１８により接続されている。
【００１１】
プリンタ本体１には、左端部に設けた回動支持部１８の近傍に上部カバー２の側面を挟持するモールド部材１２と、上部カバーの開状態終点部に設けたカバーストッパ１３と、回動支持部１８からロール紙収容領域の間隔を隔てた位置に設けた掛止部６と、掛止部６近傍のロール紙収容領域側に設けたセンサ７と、プリンタ本体１の他端部に設けた下固定刃２０とを備える。
【００１２】
上部カバー２には、回動支持部１８を中心とする扇型の側面カバー凸部１４と、回動支持部１８からロール紙収容領域の間隔を隔てた位置に回動可能に支持するセットレバー４とを備える。
【００１３】
セットレバー４は、上部カバー２の上部に突出する操作部と上部カバー２の下部に突出するロック爪１６を備え、上部カバー２に回動可能に支持され不図示のバネ若しくはコイルのような弾性部材により図中時計回りに付勢されロック状態を保持する。
【００１４】
センサ７は、回動可能に支持された緩衝部材としてのアーム１７を有し、アーム１７がロック爪１６の頂点乃至左傾斜面と接触し、セットレバー４の付勢力をセンサ７内部のスイッチ素子に伝達する。
【００１５】
センサ７は、不図示のマイクロコンピュータに接続され、プリンタ本体１を覆う上部カバー２がロック状態に保持された検知信号を送信する。マイクロコンピュータは、センサ７の検知信号に応答し、掛止部６と下固定刃２０との間に配置されたプリー及びプラテンと、上部カバー２に配置されたサーマルヘッドを駆動し、ロール紙から送紙したシートへ出力データを印字させる。
【００１６】
図２は、本発明の実施の形態にかかるプリンタの側面図である。プリンタは、セットレバー４の頂部を開放位置に操作し、上部カバー２をプリンタ本体１の回動支持部１８を支点に回動させ略鉛直に開放させている。
【００１７】
上部カバー２は、回動支持部１８に対向する遠端部に設けた上固定刃１１と、上固定刃１１に隣接するセットレバー４をプリンタ本体１から離脱させ、回動支持部１８の近傍に位置する縁部とカバーストッパ１３を当接させて停止する。
【００１８】
モールド部材１２は、上部カバー２に設けた側面カバー凸部１４の左端部と接触し上部カバー２を挟持して開状態を保持する。
【００１９】
センサ７は、アーム１７がロック爪１６から離脱した状態を検知し上部カバー２の開状態を検知しマイクロコンピュータへ開状態の検知信号を送信する。マイクロコンピュータはプラテン及びサーマルヘッドの駆動を停止し、送紙のジャミング、印字ずれを未然に防止する。
【００２０】
図３（ａ）〜図３（ｃ）の断面図を参照して、センサ７の動作を説明する。センサ７は、電気接点を接触させる２本の電極を有する可撓性のスイッチと、このスイッチを包囲するケースと、ケースの右上角部に設けた切欠部から挿入されたアーム１７を備え、アーム１７はケースと回動可能に支持され、ロック爪１６（図１参照）と接触し付勢力を２本の電極へ伝達する。
【００２１】
図３（ａ）に示すように、センサ７は、アーム１７がロック爪１６から離脱した状態を示し、アーム１７が上部の電極と接触している。２つの電極は開放状態を保持しスイッチには電流が流れないＯＦＦ状態を例示している。
【００２２】
図３（ｂ）に示すように、センサ７は、上部カバー２（図１参照）がプリンタ本体１（図１参照）を覆い、アーム１７とロック爪１６が当接しセットレバー４の付勢力を上部電極へ伝達し、上部電極と下部電極が接触し、２つの電極が接触状態に移行しスイッチに電流が流れるＯＮ状態を例示している。
【００２３】
図３（ｃ）に示すように、センサ７は、プリンタ本体１を覆う上部カバー２がプリンタ本体１方向へさらに押し下げられ、ロック爪１６が掛止部６へフックされる過程でアーム１７とロック爪１６が当接し、セットレバー４の付勢力を上部及び下部電極へ伝達するセットレバー４のオーバーストローク状態を例示している。
【００２４】
センサ７は、２つの電極が接触状態のまま下方向へ撓みスイッチに電流が流れているＯＮ状態である。セットレバー４は、ロック爪１６が掛止部６へロック状態に移行した段階で、押下げ操作は終了し、図３（ｂ）に示すアーム１７が接触時の状態に戻る。
【００２５】
センサ７は、アーム１７の回動によりセットレバー４のオ−バーストローク状態から発生する応力を緩衝させスイッチ破壊を未然に防止することができる。
【００２６】
図４は、センサ７の変形例を例示する側面図である。センサ７ａは、頂部に突出したスイッチボタンと、底部に突出した３本の端子と、ケースの右上角部に回動可能に支持されたアーム１７ａを備える。
【００２７】
センサ７ａは、プリンタ本体１を覆う上部カバー２がプリンタ本体１を覆い、ロック爪１６が掛止部６へフックされるまでアーム１７ａがスイッチボタンを押し下げＯＮ状態を保持しながら、アーム１７ａがスイッチボタンとの接触点を支点に撓み、セットレバー４の付勢力を緩和させるので、スイッチボタン若しくは内部スイッチ電極の破壊を未然に防止することができる。
【００２８】
しかも、アーム１７ａは、上部カバー２がプリンタ本体１とロック状態を保持した段階で、スイッチボタンを押下したままスイッチのＯＮ状態を維持するので、センサ７ａは上部カバー２とプリンタ本体１とのロック状態を精度良く検知することができる。
【００２９】
図５の斜視図に示すように、プリンタは、上部カバー２がプリンタ本体１を上部から覆うロック状態を保持している。セットレバー４を付勢された方向からロール紙収容領域の方向へ移動させ、ロック爪１６と掛止部６とのフックを解除し、プリンタ本体１と上部カバー２とのロック状態を開放させることができる。
【００３０】
図６の斜視図に示すように、プリンタは、回動する上部カバー２を開状態に移行させ、プリンタ本体１に設けたロール紙収容領域としてのホッパー３を露出している。
【００３１】
プリンタ本体１には、両側面に設けた掛止部６を備え、この掛止部６に対応して上部カバー２にセットレバー４が設けられている。セットレバー４には、弾性手段としてのレバースプリング５ａ及び５ｂが接続され、セットレバー４を回動支持部１８方向へ付勢している。
【００３２】
セットレバー４は、左右先端部にロック爪１６（図１参照）を備え、各ロック爪１６は、それぞれ対応する掛止部６とロック状態を保持することができるので、上部カバー２とプリンタ本体１との閉状態のずれが減少し、ロール紙の送紙ミス、サーマルヘッドの印字ミスを未然に防止することができる。
【００３３】
操作者は、ホッパー３へロール紙をセットし、ロール紙から延びるシートをプラテン９及び下固定刃２０へ導出させ、上部カバー２を回動させてプリンタ本体１を覆うように閉操作し、図７に例示すように、セットレバー４がロック位置に移動するまで上部カバー２をさらに押し下げ上部カバー２とプリンタ本体１とのロック状態を保持させる。
【００３４】
このように、本発明の実施の形態では、プリンタ本体１と上部カバー２とのロック状態を保持させる段階でセットレバー４がオーバーストロークしても、センサ７の破壊を未然に防止することができる。
【００３５】
なお、本発明の実施の形態に記載された、作用及び効果は、本発明から生じる最も好適な作用及び効果を列挙したに過ぎず、本発明による作用及び効果は、本発明の実施の形態に記載されたものに限定されるものではない。
【図面の簡単な説明】
【００３６】
【図１】本発明の実施の形態にかかるプリンタの側面図。
【図２】本発明の実施の形態にかかるプリンタの側面図。
【図３】本発明の実施の形態にかかるプリンタ用いるセンサの断面図。
【図４】本発明の実施の形態にかかるプリンタ用いるセンサの側面図。
【図５】本発明の実施の形態にかかるプリンタの外観斜視図。
【図６】本発明の実施の形態にかかるプリンタの外観斜視図。
【符号の説明】
【００３７】
１・・・プリンタ本体、２・・・上部カバー、３・・・ホッパー、４・・・セットレバー、５ａ・・・レバースプリング、６・・・掛止部、７・・・センサ、７ａ・・・センサ、９・・・プラテン、１２・・・モールド部材、１４・・・側面カバー凸部、１６・・・ロック爪、１７・・・アーム、１８・・・回動支持部
【図１】
2006167942.tif 000003
【図２】
2006167942.tif 000004
【図３】
2006167942.tif 000005
【図４】
2006167942.tif 000006
【図５】
2006167942.tif 000007
【図６】
2006167942.tif 000008